(57)【要約】【課題】  ロック自動解除機構の簡素化と、組立性の向上を図ると共に、ロック解除時における信頼性の向上が図れるスイッチ装置を提供する。【解決手段】  収納部１ａ、１ｂを有するハウジング１と、収納部１ａ内に配設された固定接点２と、固定接点２と接離する可動接点６を保持し、ハウジング１の上下方向に移動可能に収納された操作部材４と、操作部材４を押圧位置にロックするロック手段と、操作部材４のロックを解除するロック解除手段とを備え、ロック手段は、ハート型カム溝９ａとハート型カム溝内９ａを摺動するロックピン１４ａで構成され、ロック解除手段は、電磁ソレノイド１０で構成され、操作部材４が押圧位置にロックされた際には、電磁ソレノイド１０を駆動させることにより、ロックピン１４ａを操作部材４の押圧方向と直交する方向に移動させて操作部材４のロック解除を行なうようにした。【選択図】        図１
2006019137.tif 000002
【特許請求の範囲】
【請求項１】
収納部を有するハウジングと、前記収納部内に配設された固定接点と、この固定接点と接離する可動接点を保持し、前記ハウジングの上下方向に移動可能に収納された操作部材と、この操作部材を押圧位置にロックするロック手段と、前記操作部材のロックを解除するロック解除手段とを備え、前記ロック手段は、ハート型カム溝とこのハート型カム溝内を摺動するロックピンで構成され、前記ロック解除手段は、電磁ソレノイドで構成され、前記操作部材が押圧位置にロックされた際には、前記電磁ソレノイドを駆動させることにより、前記ロックピンを前記操作部材の押圧方向と直交する方向に移動させて前記操作部材のロック解除を行なうようにしたことを特徴とするスイッチ装置。
【請求項２】
前記電磁ソレノイドは、スライド移動可能な可動鉄心を有し、この可動鉄心に前記ロックピンを一体的に形成したことを特徴とする請求項１記載のスイッチ装置。
【請求項３】
前記電磁ソレノイドは、前記可動鉄心が前記操作部材の押圧方向と直交する方向に移動可能に配置されていることを特徴とする請求項２記載のスイッチ装置。
【請求項４】
前記電磁ソレノイドには、前記可動鉄心をスライド移動方向へ付勢する圧縮ばねを設け、この圧縮ばねにより前記ロックピンを、常時、前記ハート型カム溝へ押圧するようにしたことを特徴とする請求項２、又は３記載のスイッチ装置。
【請求項５】
前記ハート型カム溝を有するカム板を備え、このカム板を前記操作部材の押圧操作に伴って前記ハウジングの上下方向に移動可能なように前記操作部材に係合すると共に、前記操作部材が押圧操作される際には、前記カム板が前記操作部材の押圧方向と直交する左右方向にも移動可能としたことを特徴とする請求項１、乃至４の何れかに記載のスイッチ装置。
【発明の詳細な説明】
【技術分野】
【０００１】
本発明は、電気機器の電源スイッチとして使用されるスイッチ装置に係り、特にオートオフ機能を有するスイッチ装置に関する。
【背景技術】
【０００２】
従来のオートオフ機能を有するスイッチ装置の構造としては、スイッチ本体の横に電磁ソレノイドを配設し、この電磁ソレノイドの可動プランジャにアーム状の駆動部材の一端側を連結させ、この電磁ソレノイドを駆動させることにより、駆動部材の他端側に設けられたカム面でスイッチの操作部材をロックしているロック部材を押圧してロックを解除させる構成のものが知られている（例えば、特許文献１参照）。
【０００３】
以下、従来のスイッチ装置の構造を図に基づいて説明する。
図７は従来のスイッチ装置の平面図、図８は従来のスイッチ装置の動作を説明する説明図である。
【０００４】
図に示すように、枠体２０にＡＣスイッチ部３３、およびソレノイド部２２が形成されている。また、ＡＣスイッチ部３３には、ＤＣスイッチ部３４が取り付けられ、ＡＣスイッチ部３３、ソレノイド部２２、ＤＣスイッチ部３４が一体化されて配設されている。また、ＡＣスイッチ部３３に取り付けられたケース２３内部には、ＡＣスイッチ部３３、およびＤＣスイッチ部３４のスイッチをオン／オフすることができるスライド部材２１が配設され、このスライド部材２１の操作軸２１ａが枠体２０から突出されている。スライド部材２１は、常に矢印Ａ方向に弾性付勢されており、この状態では、ＡＣスイッチ部３３、およびＤＣスイッチ部３４のスイッチがオフ状態になっている。
【０００５】
この状態からスライド部材２１を矢印Ｂ方向に押圧すると、ＡＣスイッチ部３３、およびＤＣスイッチ部３４のスイッチがオンされると共に、スライド部材２１がロックされるようになっている。スライド部材２１には、カム凹部２９及び複数の傾斜面と段部とから成るカム底面２９ａが形成されており、このカム底面２９ａにはロック壁３０ａを有するハートカム３０が形成されている。カム凹部２９にはロック部材２７が位置するものとなり、このロック部材２７は一端に揺動支点２７ａと他端にロック部２７ｂとを有する。ロック部材２７は、揺動支点２７ａがケース２３に軸支され、カム底面２９ａ上をロック部２７ｂが摺動してハートカム３０の周囲を揺動するものとなる。
【０００６】
また、ソレノイド部２２に取り付けられたソレノイドは、プランジャ２２ａが吸引されて矢印Ｂ方向に移動するようになっている。ソレノイドにより駆動される駆動カム２４は、枠体２０に回動自在に支持されている。また、駆動カム２４の一端にはプランジャ２２ａが係合され、プランジャ２２ａの吸引に合わせて、駆動カム２４が回動するようになっている。また、駆動カム２４の他端に形成されたロック解除部２５は、スライド部材２１のカム凹部２９に位置するように配設され、傾斜面２５ａ、２５ｂを有する山形に形成されている。
【０００７】
動作としては、初期状態では、ロック部材２７のロック部２７ｂが、ハートカム３０のロック壁３０ａから外れて、ハートカム３０の上方側に位置している。この時、駆動カム２４は、ロック解除部２５がロック部材２７から離れた所に位置しスイッチはオフ状態になっている。次に、操作軸２１ａを矢印Ｂ方向に押圧してスライド部材２１を移動させると、ロック部材２７のロック部２７ｂがカム底面２９ａ上を摺動して、図８（ａ）に示すようにロック部２７ｂがハートカム３０のロック壁３０ａに位置してロック状態になりスイッチがオンされる。
【０００８】
次にスイッチをオフするには、ソレノイドに通電してプランジャ２２ａを矢印Ｂ方向に吸引すると、駆動カム２４が図８（ｂ）に示す矢印Ｃ方向に回動し、ロック解除部２５が矢印Ｄ方向に移動して、ロック状態のロック部２７ｂが傾斜面２５ａに当接して押圧される。そして、ロック部２７ｂが傾斜面２５ａに沿って下方側に移動してロック壁３０ａから外れ、スライド部材２１のロックが解除される。そして、スライド部材２１は矢印Ａ方向に移動しスイッチがオフされて初期状態に自動的に復帰するようになっている。
【０００９】
【特許文献１】特開２０００−１４９７０８号公報
【発明の開示】
【発明が解決しようとする課題】
【００１０】
しかしながら、上述した従来のスイッチ装置の構造においては、スイッチ本体の側面に設けられたソレノイドに通電して、ソレノイドのプランジャに連結されたアクチュエータ（駆動カム）を回動させることによってロック部材をハートカムのロック位置から解除させる構造のため、ロック自動解除機構が複雑になると共に、荷重が高い、大きなストロークが必要、吸引力の伝達効率が悪い等の面でロック解除の信頼性が低いという問題があった。
【００１１】
したがって、本発明では上述した問題点を解決し、ロック自動解除機構の簡素化と、組立性の向上を図ると共に、ロック解除時における信頼性の向上が図れるスイッチ装置を提供することを目的とする。
【課題を解決するための手段】
【００１２】
上記課題を解決するために本発明では第１の解決手段として、収納部を有するハウジングと、前記収納部内に配設された固定接点と、この固定接点と接離する可動接点を保持し、前記ハウジングの上下方向に移動可能に収納された操作部材と、この操作部材を押圧位置にロックするロック手段と、前記操作部材のロックを解除するロック解除手段とを備え、前記ロック手段は、ハート型カム溝とこのハート型カム溝内を摺動するロックピンで構成され、前記ロック解除手段は、電磁ソレノイドで構成され、前記操作部材が押圧位置にロックされた際には、前記電磁ソレノイドを駆動させることにより、前記ロックピンを前記操作部材の押圧方向と直交する方向に移動させて前記操作部材のロック解除を行なうようにした構成とした。
【００１３】
また、第２の解決手段として、前記電磁ソレノイドは、スライド移動可能な可動鉄心を有し、この可動鉄心に前記ロックピンを一体的に形成した構成とした。
また、第３の解決手段として、前記電磁ソレノイドは、前記可動鉄心が前記操作部材の押圧方向と直交する方向に移動可能に配置されている構成とした。
【００１４】
また、第４の解決手段として、前記電磁ソレノイドには、前記可動鉄心をスライド移動方向へ付勢する圧縮ばねを設け、この圧縮ばねにより前記ロックピンを、常時、前記ハート型カム溝へ押圧するようにした構成とした。
また、第５の解決手段として、前記ハート型カム溝を有するカム板を備え、このカム板を前記操作部材の押圧操作に伴って前記ハウジングの上下方向に移動可能なように前記操作部材に係合すると共に、前記操作部材が押圧操作される際には、前記カム板が前記操作部材の押圧方向と直交する左右方向にも移動可能とした構成とした。
【発明の効果】
【００１５】
上述したように、本発明のスイッチ装置は、収納部を有するハウジングと、収納部内に配設された固定接点と、固定接点と接離する可動接点を保持し、ハウジングの上下方向に移動可能に収納された操作部材と、操作部材を押圧位置にロックするロック手段と、操作部材のロックを解除するロック解除手段とを備え、ロック手段は、ハート型カム溝とハート型カム溝内を摺動するロックピンで構成され、ロック解除手段は、電磁ソレノイドで構成され、操作部材が押圧位置にロックされた際には、電磁ソレノイドを駆動させることにより、ロックピンを操作部材の押圧方向と直交する方向に移動させて操作部材のロック解除を行なうようにしたことから、ロックピンがハートカム溝から垂直に動いて外れるため、従来のようにアクチュエータ等を用いて荷重方向の変換を行なう必要がないので、ロック解除における信頼性の向上が図れる。また、アクチュエータが不用になるため、ロック解除手段の構成の簡素化が図れ、組立性が向上できる。
【００１６】
また、電磁ソレノイドは、スライド移動可能な可動鉄心を有し、可動鉄心にロックピンを一体的に形成したことから、電磁ソレノイドとロックピンとを連結するアクチュエータ等の連結部材を設ける必要がないので、部品点数が削減できる。
また、電磁ソレノイドは、可動鉄心が操作部材の押圧方向と直交する方向に移動可能に配置されていることから、可動鉄心に設けられたロックピンの動作が前後一方向の動作となるため、ロックピンの挙動が安定し、ロック機構における信頼性を高めることができる。
【００１７】
また、電磁ソレノイドには、可動鉄心をスライド移動方向へ付勢する圧縮ばねを設け、圧縮ばねによりロックピンを、常時、ハート型カム溝へ押圧するようにしたことから、ロックピンをハート型カム溝へ押圧する押圧力を単純な圧縮ばねで形成できるため、押圧時の面圧のバラツキを抑えることができ、品質の安定化が図れる。
また、ハート型カム溝を有するカム板を備え、カム板を操作部材の押圧操作に伴ってハウジングの上下方向に移動可能なように操作部材に係合すると共に、操作部材が押圧操作される際には、カム板が操作部材の押圧方向と直交する左右方向にも移動可能としたことから、ハート型カム溝を有するカム板の面に対して垂直にしか動かないロックピンと左右に動くカム板を組み合わせた構成により、ロック機構を簡単に形成できると共に、ロック機構の信頼性の向上が図れる。
【発明を実施するための最良の形態】
【００１８】
以下、本発明のスイッチ装置の実施形態を図１乃至図６に示す。図１は本発明のスイッチ装置の分解斜視図、図２は本発明のスイッチ装置の組立斜視図、図３は本発明のスイッチ装置の接点部分を示す説明図、図４は本発明のスイッチ装置のロック機構及びロック解除機構部分を示す説明図、図５は本発明のスイッチ装置のロック状態を示す動作説明図、図６は本発明のスイッチ装置のロック解除直後の状態を示す動作説明図である。
【００１９】
図において、ハウジング１は、合成樹脂等の絶縁材からなり、上面開口状の箱型に形成されている。このハウジング１には、方形状からなるやや大き目の第１の収納部１ａと、この第１の収納部１ａに連続して同じく方形状からなるやや小さめの第２の収納部１ｂが形成されている。また、ハウジング１の外側面には、複数の突起１ｃが設けられており、これらの突起１ｃと後述するカバー１７の係合孔１７ｅが係合されることによりハウジング１とカバー１７とが一体化されるものとなる。
【００２０】
また、第１の収納部１ａの中央には、円柱状の支軸部１ｄが突設されており、この支軸部１ｄを挟んで対向する位置には、方形状の一対のガイド柱１ｅが立設されている。また、このガイド柱１ｅが並設された方向とは交差する方向で、ガイド柱１ｅを挟んで対向する位置には、それぞれ一対の端子受部１ｆが形成されている。この端子受部１ｆは、第１の収納部１ａの対角線上の四角部に、やや突出した状態で４個形成されている。
【００２１】
また、第２の収納部１ｂには、第１の収納部１ａに連続する側とは対向する側の側板部の上端側に、一対のスリット１ｇが設けられている。このスリット１ｇから後述するコイル１１の導線１１ａが導出されるものとなる。
【００２２】
複数（本実施例では４個）の固定端子２は、導電性の金属板からなり、略Ｌ字状に屈曲して形成されている。また、固定端子２の基台には銀等の貴金属からなる固定接点３が固着されている。この固定端子２は、前記ハウジング１の第１の収納部１ａに形成された前記端子受部１ｆに、前記固定接点３が上面側を向くように載置されてかしめ等の方法でそれぞれ固着されている。また、固定端子２の他端側は、前記第１の収納部１ａの底面部からハウジング１の外方へ突設されている。
【００２３】
操作部材４は、合成樹脂等の絶縁材で形成されており、略方形状の基部４ａと、この基部４ａの上面側に突出された操作ノブ４ｂとを有している。この操作部材４の基部４ａの一側面には、方形状の箱溝部４ｃが設けられており、この箱溝部４ｃが設けられた面とは交差する方向の対向する両側面には、一対の突起部４ｄが設けられている。また、前記突起部４ｄを繋ぐ線を挟んで両側には、下面側が開放した断面コ字状の横溝部４ｅが設けられており、この横溝部４ｅの中央には第１のばね保持部４ｆが設けられている。
【００２４】
また、前記基部４ａの中央下面側には、第２のばね保持部４ｇが設けられており、この第２のばね保持部４ｇを挟んで前記突起部４ｄの形成方向に沿った両側には、前記第１の収納部１ａに形成された前記ガイド柱１ｅに係合して、操作部材４が上下方向へ移動可能にガイドされる図示しないガイド溝が形成されている。そして、前記操作部材４は、前記ハウジング１の第１の収納部１ａに上下方向（操作ノブ４ｂが押圧される操作方向）に移動可能に収納されている。
【００２５】
導体板５は、平板状の導電性の金属板で長尺状に形成され、その下面側の両端部には銀等の貴金属からなる可動接点６が固着されている。また、導体板５の上面中央には、突起状のばね係止部５ａが設けられている。この導体板５は、前記操作部材４の一対の横溝部４ｅに収容されている。この時、前記横溝部４ｅにはコイル状の巻き線ばねからなる接点ばね７が係合されており、この接点ばねの一端が前記第１のばね保持部４ｆに係止され、他端が導体板５のばね係止部５ａに係止されて導体板５が横溝部４ｅの下面側に付勢された状態で前記操作部材４に収容されている。
【００２６】
また、前記操作部材４の中央下面側の第２のばね保持部４ｇには、コイル状の巻き線ばねからなる復帰ばね８の一端が係合されている。この復帰ばね８の他端は前記ハウジング１の第１の収納部１ａに形成された前記支軸部１ｄに係合されており、操作部材４は復帰ばね８により上方へ付勢された状態で前記ハウジング１の第１の収納部１ａに収容されている。
【００２７】
また、この時、前記導体板５のそれぞれの可動接点６は、前記固定端子２のそれぞれの固定接点３と上下方向に一定の間隔を保持した状態で対向されており、前記可動接点６及び前記固定接点３は、前記操作部材４の押圧方向に重なるように対向されて配置されている。また、前記可動接点６及び前記固定接点３は、複数個（本実施例ではそれぞれ４個）設けられており、この複数個の前記可動接点６及び前記固定接点３が、前記操作部材４の押圧方向とは直交する方向に並設して配設されている。
【００２８】
このように、前記可動接点６及び前記固定接点３を複数個設け、これらの複数個の可動接点６及び固定接点３を前記操作部材４の押圧方向とは直交する方向に並設するようにしたことから、多回路のスイッチ装置に対しても奥行き寸法の短いスイッチ装置が提供できるものとなっている。
【００２９】
カム板９は、合成樹脂等の絶縁材で方形状に形成されており、このカム板９の一面側にはハート型カム溝９ａが形成されている。このハート型カム溝９ａは複数の段差を有する環状のカム面と、このカム面から突出したロック部９ｂを有している。このカム板９は、前記操作部材４の一側面に設けられた方形状の前記箱溝部４ｃに係合されている。
【００３０】
この場合、カム板９の外形は、縦方向の寸法が箱溝部４ｃの縦方向の内寸と略同じ（内寸に収まる寸法で横に移動可能な寸法）で、横方向の寸法が箱溝部４ｃの横方向の内寸よりも小さくなるように形成されている。このため、カム板９は、箱溝部４ｃ内を縦方向には移動不可で、横方向には移動可能なように係合されている。
【００３１】
前記カム板９は、前記操作部材４が上下方向に押圧操作された際には、前記操作部材４の押圧操作に伴って前記ハウジング１の上下方向に移動可能なように前記操作部材４に係合すると共に、前記操作部材４が押圧操作される際には、前記カム板９が前記操作部材４の押圧方向と直交する左右方向にも移動可能となっている。
【００３２】
このように、前記ハート型カム溝９ａを有するカム板９を、前記操作部材４の押圧操作に伴って前記ハウジング１の上下方向に移動可能なように前記操作部材４に係合すると共に、前記操作部材４が押圧操作される際には、前記カム板９が前記操作部材４の押圧方向と直交する左右方向にも移動可能としたことから、前記ハート型カム溝９ａを有するカム板９の面に対して垂直にしか動かない後述するロックピン１４ａと左右に動く前記カム板９を組み合わせた構成により、ロック機構を簡単に形成できると共に、ロック機構の信頼性の向上が図れるものとなっている。
【００３３】
電磁ソレノイド１０は、コイル１１が巻かれたボビン１２と、このボビン１２内に固着された固定鉄心１３と、ボビン１２内に可動に配設された可動鉄心１４と、可動鉄心１４を一方向に付勢する圧縮ばね１５と、これらを収納するヨーク１６とから構成されている。前記圧縮ばね１５は固定鉄心１３と可動鉄心１４との間に介在されており、常時は可動鉄心１４を固定鉄心１３から離れる方向（ボビン１２の外方）へ付勢している。
【００３４】
また、前記可動鉄心１４には、細棒状のロックピン１４ａが一体に形成されている。このロックピン１４ａは前記圧縮ばね１５によって常時ボビン１２の外方へ付勢されている。また、前記コイル１１からは一対の導線１１ａが導出されている。この一対の導線１１ａを通して前記コイル１１に通電されることによって、前記可動鉄心１４が圧縮ばね１５の付勢力に抗して固定鉄心１３側に吸引され、前記ロックピン１４ａがボビン１２の内方へ移動するものとなっている。
【００３５】
前記電磁ソレノイド１０は、前記ハウジング１の第２の収納部１ｂに収納されており、この時、前記ロックピン１４ａの先端が、前記第１の収納部１ａに収納された前記操作部材４の箱溝部４ｃに係合されている、前記カム板９のハート型カム溝９ａに当接されている。この場合、前記ロックピン１４ａが形成された前記可動鉄心１４は、前記操作部材４の押圧方向（上下方向）に対して直交する方向に移動可能に配設されており、前記圧縮ばね１５の付勢力によって、前記ロックピン１４ａの先端が、常時、ハート型カム溝９ａのカム面に圧接された状態となっている。
【００３６】
このように、前記電磁ソレノイド１０は、スライド移動可能な前記可動鉄心１４を有し、前記可動鉄心１４に前記ロックピン１４ａを一体的に形成したことから、前記電磁ソレノイド１０とロックピン１４ａとを連結するアクチュエータ等の連結部材を設ける必要がないので、部品点数が削減でき、ロック手段とロック解除手段の構成を簡素化できるものとなる。また、前記電磁ソレノイド１０は、前記可動鉄心１４が前記操作部材４の押圧方向と直交する方向に移動可能に配置されていることから、前記可動鉄心１４に設けられた前記ロックピン１４ａの動作が前後一方向の動作となるため、前記ロックピン１４ａの挙動が安定し、ロック機構における信頼性を高めることができるものとなっている。
【００３７】
また、前記電磁ソレノイド１０には、前記可動鉄心１４をスライド移動方向へ付勢する前記圧縮ばね１５を設け、前記圧縮ばね１５により前記ロックピン１４ａを、常時、前記ハート型カム溝９ａへ押圧するようにしたことから、前記ロックピン１４ａを前記ハート型カム溝９ａへ押圧する押圧力を単純な圧縮ばねで形成できるため、押圧時の面圧のバラツキを抑えることができ、品質の安定化が図れるものとなっている。
【００３８】
前記カム板９のハート形カム溝９ａと、前記ロックピン１４ａとで前記操作部材４を押圧位置にロックするロック手段が構成されており、また、前記電磁ソレノイド１０で前記操作部材４のロックを解除する解除手段が構成されている。また、前記操作部材４の押圧方向とは直交する方向に沿って、前記操作部材４と前記可動接点６及び前記固定接点３と並設した状態で、前記ロックピン１４ａが設けられた可動鉄心１４を有する電磁ソレノイド１０からなる、ロック手段とロック解除手段が配置されている。
【００３９】
このように、前記操作部材４に、前記ハート型カム溝９ａを有する前記カム板９を係合して、前記カム板９に並設して前記電磁ソレノイド１０からなるロック解除手段を配置したことから、前記カム板９を介して前記操作部材４とロック解除手段を対向して並設できるので、スイッチ装置の小型化が図れるものとなっている。
【００４０】
また、前記ハウジング１の第２の収納部１ｂに設けられた一対の前記スリット１ｇを介して、前記コイル１１の一対の導線１１ａが、前記ハウジング１の外方へ導出されている。
【００４１】
カバー１７は、合成樹脂等の絶縁材からなり、下面開口状の箱型に形成されている。このカバー１７は、やや大き目の第１方形部１７ａと、やや小さ目の第２方形部１７ｂとが連続して一体に形成されている。また、やや大き目の第１方形部１ａの中央には角形の挿通孔１７ｃが形成されており、この挿通孔１７ｃに前記操作部材４の操作ノブ４ｂが挿通されて外方へ突出されている。また、やや小さ目の第２方形部１７ｂの一側面部には一対のスリット１７ｄが形成されており、このスリット１７ｄを介して、前記コイル１１の一対の導線１１ａが、前記カバー１７の外方へ導出されている。
【００４２】
また、カバー１７の外周側面部には、複数の係合孔１７ｅが形成されており、この複数の係合孔１７ｅに前記ハウジング１の外周側面部に形成された複数の前記突起１ｃが係合されて、前記ハウジング１とカバー１７とが一体化されている。
【００４３】
次に、図４乃至図６を用いて、上述したスイッチ装置の動作を説明する。
まず、図４に示す初期の状態では、操作部材４は復帰ばね８の付勢力により上方へ付勢されている。この時、導体板５の可動接点６と固定端子２の固定接点３とは離間しており、スイッチはオフ状態となっている。
【００４４】
この状態から、操作部材４の操作ノブ４ｂが押圧されると、図５に示すように、操作部材４が復帰ばね８の付勢力に抗して下方へ移動し、可動接点６と固定接点３とが当接する。そして、操作部材４と共にカム板９も下方へ移動するものとなり、ハート型カム溝９ａのカム面に当接しているロックピン１４ａがハート型カム溝９ａに沿って摺動しロック部９ｂにロックされる。
【００４５】
この時、ロックピン１４ａは、圧縮ばね１５の付勢力により操作部材４の押圧方向とは直交する一方向にのみスライド移動可能となっているが、操作部材４が押圧操作される際には、カム板９が操作部材４の押圧方向と直交する左右方向にも移動可能となっていることから、ロックピン１４ａがハート型カム溝９ａのカム面に沿って無理無く摺動されるものとなっている。また、導体板５は接点ばね７により下方（固定接点３側）へ付勢されているため、可動接点６が一定の圧力をもって固定接点３と接触しており、安定した接触が得られるものとなっている。
【００４６】
次に、ロックを解除させるには、図６に示すように、電磁ソレノイド１０のコイル１１の導線１１ａを介してコイル１１に通電することにより、コイルに発生する磁力によって可動鉄心１４が圧縮ばね１５の付勢力に抗して吸引され、ロックピン１４ａが操作部材４の押圧方向とは直交する方向へスライド移動して、ハート型カム溝９ａのロック部９ｂから外れるものとなる。
【００４７】
そして、操作部材４は復帰ばね８の付勢力により上方へ付勢され、図４に示す初期の状態に復帰するものとなり、可動接点６が固定接点３から離間してスイッチがオフ状態となる。
【００４８】
尚、手動でスイッチのロックを解除させる場合には、図５に示す状態から、再度、操作部材４の操作ノブ４ｂを押圧してやると、ハート型カム溝９ａの環状のカム面の作用により、ロック部材１４ａがハート型カム溝９ａのロック部９ｂから外れて移動するものとなり、操作部材４は復帰ばね８の付勢力により上方へ付勢され、図４に示す初期の状態に復帰するものとなる。この場合、ロックピン１４ａは操作部材４の押圧方向と直交する方向にはスライド移動せず、ハート型カム溝９ａの環状のカム面を循環して図４に示す初期位置に復帰するものとなる。
【００４９】
上記した本発明の実施例によれば、ハウジング１の上下方向に移動可能に収納された操作部材４を押圧位置にロックするハート型カム溝９ａとハート型カム溝内を摺動するロックピン１４ａで構成したロック手段と、前記操作部材４のロックを解除する電磁ソレノイド１０で構成したロック解除手段とを備え、前記操作部材４が押圧位置にロックされた際には、前記電磁ソレノイド１０を駆動させることにより、前記ロックピン１４ａを前記操作部材４の押圧方向と直交する方向に移動させて前記操作部材４のロック解除を行なうようにしたことから、前記ロックピン１ａ４が前記ハートカム溝９ａから垂直に動いて外れるため、従来のようにアクチュエータ等を用いて荷重方向の変換を行なう必要がないので、ロック解除における信頼性の向上が図れるものとなっている。
また、アクチュエータが不用になるため、ロック解除手段の構成の簡素化が図れ、組立性が向上できるものとなっている。
【図面の簡単な説明】
【００５０】
【図１】本発明のスイッチ装置を示す分解斜視図である。
【図２】本発明のスイッチ装置を示す組立斜視図である。
【図３】本発明のスイッチ装置の接点部分を示す説明図である。
【図４】本発明のスイッチ装置のロック機構及びロック解除機構部分を示す説明図である。
【図５】本発明のスイッチ装置のロック状態を示す動作説明図である。
【図６】本発明のスイッチ装置のロック解除直後の状態を示す動作説明図である。
【図７】従来のスイッチ装置を示す平面図である。
【図８】従来のスイッチ装置の動作を説明する説明図である。
【符号の説明】
【００５１】
１：ハウジング
１ａ：第１の収納部
１ｂ：第２の収納部
１ｃ：突起
１ｄ：支軸部
１ｅ：ガイド柱
１ｆ：端子受部
１ｇ：スリット
２：固定端子
３：固定接点
４：操作部材
４ａ：基部
４ｂ：操作ノブ
４ｃ：箱溝部
４ｄ：突起部
４ｅ：横溝部
４ｆ：第１のばね保持部
４ｇ：第２のばね保持部
５：導体板
５ａ：ばね係止部
６：可動接点
７：接点ばね
８：復帰ばね
９：カム板
９ａ：ハート型カム溝（ロック手段）
９ｂ：ロック部
１０：電磁ソレノイド（ロック解除手段）
１１：コイル
１１ａ：導線
１２：ボビン
１３：固定鉄心
１４：可動鉄心
１４ａ：ロックピン（ロック手段）
１５：圧縮ばね
１６：ヨーク
１７：カバー
１７ａ：第１方形部
１７ｂ：第２方形部
１７ｃ：挿通孔
１７ｄ：スリット
１７ｅ：係合孔
【図１】
2006019137.tif 000003
【図２】
2006019137.tif 000004
【図３】
2006019137.tif 000005
【図４】
2006019137.tif 000006
【図５】
2006019137.tif 000007
【図６】
2006019137.tif 000008
【図７】
2006019137.tif 000009
【図８】
2006019137.tif 000010